(57)【要約】      （修正有）【課題】片手でも容易に持ち運ぶことが可能な収納箱を提供する。【解決手段】上部開口部を有する合成樹脂製の箱本体１１と、前記箱本体１１内に敷設され、内容物を収納するための複数の凹部２１が形成された合成樹脂発泡体製シートからなる中敷きシート２０と、前記箱本体１１の前記上部開口部に開閉可能に被着される蓋体３０と、前記蓋体３０上面に対向する２つの折曲部４５，４５を介して立ち上げ可能な２つの立ち上げ部と該２つの立ち上げ部に一体に架設された持ち手部とを切り欠いて形成した一対の引き上げ手掛け部４０とを備える。【選択図】図１
0003176007.tif 000002
【実用新案登録請求の範囲】
【請求項１】
上部開口部を有する合成樹脂製の箱本体と、
前記箱本体内に敷設され、内容物を収納するための複数の凹部が形成された合成樹脂発泡体製シートからなる中敷きシートと、
前記箱本体の前記上部開口部に開閉可能に被着される蓋体と、
前記蓋体上面に対向する２つの折曲部を介して立ち上げ可能な２つの立ち上げ部と該２つの立ち上げ部に一体に架設された持ち手部とを切り欠いて形成した一対の引き上げ手掛け部
とを備えたことを特徴とする収納箱。
【請求項２】
前記蓋体が前記箱本体にヒンジ部を介して開閉可能に一体に形成されている請求項１に記載の収納箱。
【請求項３】
前記引き上げ手掛け部の前記持ち手部の下辺側に怪我防止部が形成されている請求項１または２に記載の収納箱。
【考案の詳細な説明】
【技術分野】
【０００１】
本考案は、青果物等の内容物を収納可能な複数の凹部が形成された中敷きシートを有する収納箱に関する。
【背景技術】
【０００２】
例えば、桃やリンゴ、トマト等の青果物を輸送したり保管したりする際には、表面に複数の凹部が形成されたシート状物の各凹部にそれぞれ青果物等の内容物が収容されることによって、内容物同士の接触が防止されている。しかるに、内容物はシート状物に収容されているため、手で持って運ぼうとしても、内容物の重量によりシート状物が変形して不安定となり、持ち運ぶことが困難となる。
【０００３】
そこで、従来では、持ち運ぶ際にシート状物が変形しないように、段ボール箱等の収納箱にシート状物を中敷きシートとして敷設し、収納箱とともに持ち運ぶようにしている。しかしながら、収納箱とともに持ち運ぶ場合には、両手で収納箱を抱える必要があり、両手がふさがって不便であった。
【考案の概要】
【考案が解決しようとする課題】
【０００４】
本考案は前記の点に鑑みなされたものであり、片手でも容易に持ち運ぶことが可能な収納箱を提供するものである。
【課題を解決するための手段】
【０００５】
すなわち、請求項１の考案は、上部開口部を有する合成樹脂製の箱本体と、前記箱本体内に敷設され、内容物を収納するための複数の凹部が形成された合成樹脂発泡体製シートからなる中敷きシートと、前記箱本体の前記上部開口部に開閉可能に被着される蓋体と、前記蓋体上面に対向する２つの折曲部を介して立ち上げ可能な２つの立ち上げ部と該２つの立ち上げ部に一体に架設された持ち手部とを切り欠いて形成した一対の引き上げ手掛け部とを備えたことを特徴とする収納箱に係る。
【０００６】
請求項２の考案は、前記蓋体が前記箱本体にヒンジ部を介して開閉可能に一体に形成されている請求項１に記載の収納箱に係る。
【０００７】
前記引き上げ手掛け部の前記持ち手部の下辺側に怪我防止部が形成されている請求項１または２に記載の収納箱に係る。
【考案の効果】
【０００８】
請求項１の考案に係る収納箱は、上部開口部を有する合成樹脂製の箱本体と、前記箱本体内に敷設され、内容物を収納するための複数の凹部が形成された合成樹脂発泡体製シートからなる中敷きシートと、前記箱本体の前記上部開口部に開閉可能に被着される蓋体と、前記蓋体上面に対向する２つの折曲部を介して立ち上げ可能な２つの立ち上げ部と該２つの立ち上げ部に一体に架設された持ち手部とを切り欠いて形成した一対の引き上げ手掛け部とを備えたため、片手でも容易に持ち運ぶことができるとともに、持ち運ぶ際に中敷きシートが安定して箱本体内での内容物同士の接触等を回避することができ、しかも箱本体内に異物が混入するおそれがなくて衛生的である。
【０００９】
請求項２の考案は、請求項１において、前記蓋体が前記箱本体にヒンジ部を介して開閉可能に一体に形成されているため、成型が容易で不使用時に蓋体が紛失するおそれがない。
【００１０】
請求項３の考案は、請求項１または２において、前記引き上げ手掛け部の前記持ち手部の下辺側に怪我防止部が形成されているため、引き上げ手掛け部を把持した際の負傷を防止することができる。
【図面の簡単な説明】
【００１１】
【図１】本考案の一実施例に係る収納箱の斜視図である。
【図２】ヒンジ部を介して蓋体が一体に形成された収納箱の斜視図である。
【図３】引き上げ手掛け部の模式図である。
【図４】引き上げ手掛け部の断面図である。
【考案を実施するための形態】
【００１２】
図１に示す本考案の収納箱１０は、桃やリンゴ、トマト等の青果物等を内容物として収納するものであって、箱本体１１と、中敷きシート２０と、蓋体３０と、引き上げ手掛け部４０，４０とを備える。
【００１３】
箱本体１１は、図１に示すように上部開口部１５を有し、ポリエチレンテレフタレート（ＰＥＴ）やポリスチレン（ＰＳ）等の合成樹脂からなる。図において、符号１２は箱本体１１の底部、１３は底部１２から立設された側壁部である。
【００１４】
中敷きシート２０は、図１に示すように、箱本体１１内に敷設され、内容物を収納するための複数の凹部２１が形成される。複数の凹部２１は、等間隔で列状に設けられ、内容物の種類に応じて適宜の大きさ及び形状に形成されるものであり、例えば、桃やリンゴ等では半球状、イチゴ等では楕円形状とされる。なお、図中の符号２２は凹部２１の深さに対応する高さを有した持ち上げ壁部である。
【００１５】
この中敷きシート２０は、搬送等の際に生じる衝撃等をやわらげて内容物を保護することが可能な発泡ポリエチレン等の合成樹脂発泡体製シートによって構成される。合成樹脂発泡体製シートからなる中敷きシート２０は通気性にも優れ、特に内容物が青果物である場合に、周囲との温度や湿度等を適正に保持して鮮度を維持することができて最適である。中敷きシート２０は、真空成形や射出成形、プレス成形等の公知の成形方法によって成形することができる。
【００１６】
蓋体３０は、図１に示すように、箱本体１１の上部開口部１５に開閉可能に被着される。この蓋体３０は、箱本体１１と同様に、ポリエチレンテレフタレート（ＰＥＴ）やポリスチレン（ＰＳ）等の合成樹脂からなる。蓋体３０を箱本体１１に被着させる方法としては、蓋体３０裏面に段部等を形成して箱本体１１の上部開口部１５に嵌着させたり、適宜の粘着テープやクリップ状物を用いて固定したりすること等が挙げられる。
【００１７】
また、この蓋体３０は、図１に示すように箱本体１１開閉可能に分離される構成の他、図２に示すように箱本体１１にヒンジ部３１を介して開閉可能に一体に形成される構成とすることができる。蓋体３０を箱本体１１にヒンジ部３１を介して一体に形成すれば、成型が容易で不使用時に蓋体３０が紛失するおそれがない。
【００１８】
引き上げ手掛け部４０，４０は、図１〜４に示すように、蓋体３０上面に対向する２つの折曲部４５，４５を介して立ち上げ可能な２つの立ち上げ部４１，４１と該２つの立ち上げ部４１，４１に一体に架設された持ち手部４２とを切り欠いて一対に形成されている。引き上げ手掛け部４０，４０の形状としては、図３（ａ）に示す略コ字状の引き上げ手掛け部４０Ａ、図３（ｂ）に示す半円状の引き上げ手掛け部４０Ｂ、図３（ｃ）に示す略楕円状の引き上げ手掛け部４０Ｃ等である。この引き上げ手掛け部４０，４０は、図４に示すように、不使用時には蓋体３０上面と面一となるように蓋体３０側に寝かした状態とされ、使用時には蓋体３０上面から引き上げられる。なお、図１，２，４において、符号４６は蓋体３０に引き上げ手掛け部４０を形成するための切れ目部である。
【００１９】
また、引き上げ手掛け部４０では、切り欠いて形成された引き上げ手掛け部４０の持ち手部４２の下辺側が鋭利である場合に手を負傷するおそれがあるため、図３，４に示すように、持ち手部４２の下辺側に怪我防止部４３が形成される。この怪我防止部４３は、把持する際の手と持ち手部４２の鋭利な下辺側との接触を回避するために、適宜の面部からなる。図４は怪我防止部４３のバリエーションを表した断面図である。図４（ａ）の怪我防止部４３Ａは、持ち手部４２に図３の符号４３ａ，４３ａに示すような切れ込みを形成し、持ち手折曲部４３ｂを介して折り曲げられた平面部である。図４（ｂ）の怪我防止部４３Ｂは、持ち手部４２の下辺側に形成された湾曲面部である。各怪我防止部４３Ａ，４３Ｂは、いずれも持ち手部４２の下辺側が面部となるため、引き上げ手掛け部４０を把持した際の負傷を防止することができる。
【００２０】
以上図示し説明したように、本考案の収納箱１０では、箱本体１１内に内容物を収納するための複数の凹部２１が形成された合成樹脂発泡体製シートからなる中敷きシート２０が敷設され、箱本体１１の上部開口部１５に被着される蓋体３０上面に対向する２つの折曲部４５，４５を介して立ち上げ可能な２つの立ち上げ部４１，４１と該２つの立ち上げ部４１，４１に一体に架設された持ち手部４２とを切り欠いて形成した一対の引き上げ手掛け部４０，４０が形成されているため、片手でも容易に持ち運ぶことができるとともに、持ち運ぶ際に中敷きシート２０が安定して箱本体１１内での内容物同士の接触等を回避することができる。また、蓋体３０が上部開口部１５に被着されることにより、箱本体１１内に異物が混入するおそれがなく、衛生的である。
【００２１】
なお、本考案の収納箱は、前述の実施例のみに限定されるものではなく、考案の趣旨を逸脱しない範囲において構成の一部を適宜に変更して実施することができる。例えば、引き上げ手掛け部を引き上げやすくするために、切れ目部に指入れ用の切欠部を形成してもよい。
【符号の説明】
【００２２】
１０    収納箱
１１    箱本体
１５    上部開口部
２０    中敷きシート
２１    凹部
３０    蓋体
４０    引き上げ手掛け部
４１    立ち上げ部
４２    持ち手部
４３    怪我防止部
４５    折曲部
【図１】
0003176007.tif 000003
【図２】
0003176007.tif 000004
【図３】
0003176007.tif 000005
【図４】
0003176007.tif 000006